(57)【要約】      （修正有）【課題】地面の凹凸状態が一様でない場合であっても、それに合わせて効率的に一丁で除草作業することができ、除草した草をかき集めることのできるホーの提供。【解決手段】ホーは、柄部と、柄部の先端に設けられた板部２とからなり、板部２は地面に当てて作用させる接地部位を複数備えており、接地部位の形状の種類は複数である構成とする。なお板部２は湾曲しておらず、平板により構成される。接地部位としては平坦地用部位３、レーキ部位６、凸状地用部位４、凹状地用部位５がある。【選択図】図３
2018033331.tif 000002
【特許請求の範囲】
【請求項１】
柄部と、該柄部の先端に設けられた板部とからなるホーであって、該板部は地面に当てて作用させる接地部位を複数備えており、該接地部位の形状の種類は複数であることを特徴とする、ホー。
【請求項２】
前記接地部位には、その形状が直線部分を有する平坦地用部位が含まれることを特徴とする、請求項１に記載のホー。
【請求項３】
前記接地部位には、その形状が山部と谷部からなる鋸歯状部分を有するレーキ部位が含まれることを特徴とする、請求項１または２に記載のホー。
【請求項４】
前記接地部位には、その形状が凹状の円弧状部分を有する凸状地用部位が含まれることを特徴とする、請求項１ないし３のいずれかに記載のホー。
【請求項５】
前記接地部位には、その形状が凸状の円弧状部分を有する凹状地用部位が含まれることを特徴とする、請求項１ないし４のいずれかに記載のホー。
【請求項６】
前記板部に係る板材の加工により全ての接地部位が単一の板部上に形成されていることを特徴とする、請求項１ないし５のいずれかに記載のホー。
【請求項７】
前記柄部と前記板部とは直角をなすことを特徴とする、請求項１ないし６のいずれかに記載のホー。
【請求項８】
請求項１ないし７のいずれかに記載のホーに前記板部として用いることのできる、板状のホー部材。
【発明の詳細な説明】
【技術分野】
【０００１】
本発明はホーおよびホー部材に係り、特に、一丁で多様な使い方を備えたホーおよびホー部材に関するものである。
【背景技術】
【０００２】
ホーは、雑草を削り取る農具である。一般的には、図８に示す構造のものが用いられており、柄部８１の先端に金具部８２が取り付けられている構成である。柄部８１を把持し、金具部８２を地面に着け、奥から手前方向へ力を入れて引っ張ってくることにより、雑草を削り取ることができる。なお、金具部の形状としては他に、四角形、略半円形、三角形もある。
【０００３】
ホーや除草用具については従来、技術的な提案も多くなされている。たとえば後掲特許文献１には、除草後の処理に便利な除草具として、三角形の金具部の草かき用部位の反対側に、ピアノ線等の鋼棒を複数本溶接ネジ止めして形成されたレーキを備える構成が開示されている。これにより、土中にうもれた草を掘り起こして除草することができ、また、起こした草を寄せ集めることができるとしている。
【先行技術文献】
【特許文献】
【０００４】
【特許文献１】実用新案登録第３１５７９８９号公報「草とり具」
【発明の概要】
【発明が解決しようとする課題】
【０００５】
しかし、除草の必要な地面は必ずしも平坦であるとは限らない。畝のような凸型の地面、畝間のような凹型の地面もある。このように、地面の凹凸状態が一様でない場合であっても、それに合わせて効率的に一丁で除草できるホーは、上記文献開示技術も含め従来存在せず、必要に応じ複数種類のホーを用いなくてはならない。
【０００６】
そこで本発明が解決しようとする課題は、かかる従来技術の問題点を踏まえ、地面の凹凸状態が一様でない場合であっても、それに合わせて効率的に一丁で除草作業することのできるホー、およびホー部材を提供することである。さらにはこれに加えて、除草した草をかき集めることのできるホー、およびホー部材を提供することである。
【０００７】
また本発明の課題は、地面が平坦・凹状・凸状のいずれであっても一丁で除草作業できるホー、およびホー部材を提供すること、さらにはこれに加えて、除草した草をかき集めることのできるホー、およびホー部材を提供することである。
【課題を解決するための手段】
【０００８】
本願発明者は上記課題について検討した結果、複数の地面形状に対応できるよう、複数種類の形状の接地部位が形成された金具部（板部）を用いてホーとすることによって解決できることを見出し、これに基づいて本発明を完成するに至った。すなわち、上記課題を解決するための手段として本願で特許請求される発明、もしくは少なくとも開示される発明は、以下の通りである。
【０００９】
〔１〕  柄部と、該柄部の先端に設けられた板部とからなるホーであって、該板部は地面に当てて作用させる接地部位を複数備えており、該接地部位の形状の種類は複数であることを特徴とする、ホー。
〔２〕  前記接地部位には、その形状が直線部分を有する平坦地用部位が含まれることを特徴とする、〔１〕に記載のホー。
〔３〕  前記接地部位には、その形状が山部と谷部からなる鋸歯状部分を有するレーキ部位が含まれることを特徴とする、〔１〕または〔２〕に記載のホー。
【００１０】
〔４〕  前記接地部位には、その形状が凹状の円弧状部分を有する凸状地用部位が含まれることを特徴とする、〔１〕ないし〔３〕のいずれかに記載のホー。
〔５〕  前記接地部位には、その形状が凸状の円弧状部分を有する凹状地用部位が含まれることを特徴とする、〔１〕ないし〔４〕のいずれかに記載のホー。
〔６〕  前記板部に係る板材の加工により全ての接地部位が単一の板部上に形成されていることを特徴とする、〔１〕ないし〔５〕のいずれかに記載のホー。
〔７〕  前記柄部と前記板部とは直角をなすことを特徴とする、〔１〕ないし〔６〕のいずれかに記載のホー。
〔８〕  〔１〕ないし〔７〕のいずれかに記載のホーに前記板部として用いることのできる、板状のホー部材。
【発明の効果】
【００１１】
本発明のホーおよびホー部材は上述のように構成されるため、これらによれば、地面の凹凸状態が一様でない場合であっても、それに合わせて効率的に、容易に一丁で除草作業することができる。接地部位の一つとして平坦地用部位を備えたホーは、その部位を地面に当てて用いることにより、平坦地の除草を効率的に、容易に行うことができる。
【００１２】
また、接地部位の一つとしてレーキ部位を備えたホーは、除草された草を効率的に、容易にかき集めることができる。また、接地部位の一つとして凸状地用部位を備えたホーは、その部位を地面に当てて用いることにより、畝など凸状の地面の除草を効率的に、容易に行うことができる。また、接地部位の一つとして凹状地用部位を備えたホーは、その部位を地面に当てて用いることにより、畝間（畝底）などＵ字状、凹状の地面の除草を効率的に、容易に行うことができる。
【００１３】
このように本発明のホーおよびホー部材は実用性が高いが、特に上述の四つの接地部位を全て備えた形態の本発明ホーは、地面が平坦・凹状・凸状のいずれであっても一丁で効率的に除草することができ、かつ除草した草のかき集め作業も行うことができ、より実用性が高い。
【図面の簡単な説明】
【００１４】
【図１】本発明ホーの基本構成を板部の側面方向から示す説明図である。
【図２】本発明ホーの板部における接地部位の構成例を板部の正面方向から示す説明図である。
【図３】図２に示す四種類の接地部位を全て備えた板部の例を板部の正面方向から示す説明図である。
【図４】本発明ホーの実施例を示す写真図である（全体図）。
【図５】本発明ホーの実施例を示す写真図である（板部を側面から視た図）。
【図６】本発明ホーの実施例を示す写真図である（板部を柄部の方向から視た図）。
【図７】本発明ホーの実施例を示す写真図である（板部を柄部の反対側から視た図）。
【図８】従来の一般的なホーの構造を示す斜視図である。
【発明を実施するための形態】
【００１５】
以下、図面により本発明を詳細に説明する。
図１は、本発明ホーの基本構成を板部の側面方向から示す説明図である。また、
図２は本発明ホーの板部における接地部位の構成例を板部の正面方向から示す説明図、
図３は図２に示す四種類の接地部位を全て備えた板部の例を板部の正面方向から示す説明図である。これらに示すように本発明ホー１０は、柄部１と、柄部１の先端に設けられた板部２とからなり、板部２は地面に当てて作用させる接地部位を複数備えており、接地部位の形状の種類は複数であることを、主たる構成とする。
【００１６】
なお板部２は図１に示すように湾曲しておらず、平板により構成される。なお、板部２の各接地部位（各辺）は、除草等の機能を発揮するのに十分なよう、先端が刃となるように形成されている。
【００１７】
ホー１０の柄部１と板部２とは、直角をなして接合されるものとすることができる。かかる角度とすることで、ホーとして円滑に使用することができ、作用効果を十分に得ることができる。なお、図示するように柄部１と板部２との接合は、板部２と一体に形成されている接合部８に柄部１が差込まれて固定されることでなされるものとすることができる。
【００１８】
また、全ての接地部位が板部２に係る板材の加工によって単一の板部２上に形成されているものとすることができる。つまり、通常金具として形成される箇所は、上記文献開示技術のように異なる部品を溶接ネジ止め等によって接合することで形成するのではなく、単一の板材、たとえば四角形の板材の各辺が切削加工等されることにより形成されるものとすることができる。
【００１９】
本発明ホー１０は、図２の（ａ）に示すように、板部２に設けられる複数の接地部位の一つとして、その形状が直線部分を有する平坦地用部位３が含まれたものとすることができる。かかる構成により、接地部位の一つとして平坦地用部位３を備えた本発明ホー１０は、同部位３を平坦地である地面に当てた状態で、把持した柄部２を奥から手前方向に引くことによって、地面に対して接地部位の形状が適合するため、地面上に生えた草の除草を効率的かつ容易に行うことができる。
【００２０】
本発明ホー１０は、図２の（ｂ）に示すように、板部２に設けられる複数の接地部位の一つとして、その形状が凹状の円弧状（カーブ状）部分を有する凸状地用部位４が含まれたものとすることができる。かかる構成により、接地部位の一つとして凸状地用部位４を備えた本発明ホー１０は、同部位４を、たとえば畝等の凸状地である地面に当てた状態で、把持した柄部２を奥から手前方向に引くことによって、地面に対して接地部位の形状が適合するため、地面上に生えた草の除草を効率的かつ容易に行うことができる。
【００２１】
本発明ホー１０は、図２の（ｃ）に示すように、板部２に設けられる複数の接地部位の一つとして、その形状が凸状の円弧状（カーブ状）部分を有する凹状地用部位５が含まれたものとすることができる。かかる構成により、接地部位の一つとして凹状地用部位５を備えた本発明ホー１０は、同部位５を、たとえば畝間（畝底）等の凹状地である地面に当てた状態で、把持した柄部２を奥から手前方向に引くことによって、地地面に対して接地部位の形状が適合するため、地面上に生えた草の除草を効率的かつ容易に行うことができる。
【００２２】
本発明ホー１０は、図２の（ｄ）に示すように、板部２に設けられる複数の接地部位の一つとして、その形状が山部と谷部からなる鋸歯状部分を有するレーキ部位６が含まれたものとすることができる。かかる構成により、接地部位の一つとしてレーキ部位６を備えた本発明ホー１０は、同部位６を地面に当てた状態で、把持した柄部２を奥から手前方向に引くことによって、除草された草のかき集め等の作業を効率的かつ容易に行うことができる。
【００２３】
図２に示した各接地部位は、その任意の二つ以上を備えたものとして、本発明ホー１０を構成することができる。つまり、下記のパターン全てが本発明の範囲内である。
（１）接地部位を二つ備えるホーの接地部位の組み合わせ
平坦地用部位３，凸状地用部位４
平坦地用部位３，凹状地用部位５
平坦地用部位３，レーキ部位６
凸状地用部位４，凹状地用部位５
凸状地用部位４，レーキ部位６
凹状地用部位５，レーキ部位６
【００２４】
（２）接地部位を三つ備えるホーの接地部位の組み合わせ
平坦地用部位３，凸状地用部位４，凹状地用部位５
平坦地用部位３，凸状地用部位４，レーキ部位６
平坦地用部位３，凹状地用部位５，レーキ部位６
凸状地用部位４，凹状地用部位５，レーキ部位６
【００２５】
（３）接地部位を四つ備えるホーの接地部位の組み合わせ
平坦地用部位３，凸状地用部位４，凹状地用部位５，レーキ部位６
【００２６】
なお、接地部位を五つ以上備えた構成も決して本発明からは除外されない。しかしながら、使いやすさ、実用性を考慮すると、設ける接地部位は四つ以下とすることが望ましい。図３は、図２に示した四パターンの接地部位を全て備えた板部２である。なおまた、以上説明したホー１０において板２部として用いることのできる板状のホー部材も、本発明の範囲内である。
【実施例】
【００２７】
本発明の実施例を説明するが、本発明がこれに限定されるものではない。
図４〜７は、本発明ホーの実施例を示す写真図であり、順に、全体図、板部を側面から視た図、板部を柄部の方向から視た図、板部を柄部の反対側から視た図である。本実施例ホー５１０は、柄部５１および接合部５８を合せた長さ１２００ｍｍ、柄部５１の径３０ｍｍ、板部５２寸法（縦×横）２１０ｍｍ×２１０ｍｍとして製作した。
【００２８】
これを用いて凹凸状態が種々の地面における作用効果を試験した。その結果、本ホー５１０一丁で、平坦地用部位５３による平坦地の削り除草はもちろんのこと、凸状地用部位５４による畝のような盛り上がった部分の除草、凹状地用部位５５による畝間のＵ字形の低い部分の除草等、凹凸のある多様な場所の除草を効率的かつ容易に行うことができ、さらには、レーキ部位５６による除草した後の草掻き作業も効率的かつ容易に行うことができた。
【産業上の利用可能性】
【００２９】
本発明のホーおよびホー部材はらによれば、地面の凹凸状態が一様でない場合であっても、それに合わせて効率的に、容易に一丁で除草作業することができる。特に上述の四つの接地部位を全て備えた形態の本発明ホーは、地面が平坦・凹状・凸状のいずれであっても一丁で効率的に除草することができ、かつ除草した草のかき集め作業も行うことができ、より実用性が高い。したがって、農業、園芸、造園分野等、および関連する全分野において、産業上利用性が高い発明である。
【符号の説明】
【００３０】
１、５１…柄部
２、５２…板部
接地部位として；
３、５３…平坦地用部位
４、５４…凸状地用部位
５、５５…凹状地用部位
６、５６…レーキ部位
８、５８…接合部
１０、５１０…ホー
８１…柄部
８２…金具部
８１０…ホー（従来の）
【図１】
2018033331.tif 000003
【図２】
2018033331.tif 000004
【図３】
2018033331.tif 000005
【図４】
2018033331.tif 000006
【図５】
2018033331.tif 000007
【図６】
2018033331.tif 000008
【図７】
2018033331.tif 000009
【図８】
2018033331.tif 000010